(57)【要約】【課題】リテーナが取り外しの際に弾き飛ばされてしまうことを防止できるコネクタ、およびリテーナ取り外し用治具を提供することにある。【解決手段】リテーナ３０の治具挿入孔３８には、一対の張り出し部４０が設けられており、一方、取り外し用治具Ｊには、引っ掛け部Ｊｂが突設されている。そして、この取り外し用治具Ｊを治具挿入孔３８内に挿入すると、張り出し部４０に引っ掛け部Ｊｂが引っ掛けられることにより、取り外し用治具Ｊの治具挿入孔３８からの離脱が規制されるから、リテーナ３０は端子収容部１１との係合を解かれた後も、取り外し用治具Ｊから容易には外れない。これにより、リテーナ３０が取り外しの際に弾き飛ばされてしまうことを防止できる。【選択図】　図１１
2004014271.tif 000002
【特許請求の範囲】
【請求項１】
ハウジングと、
前記ハウジングの内部に設けられて端子金具を収容可能な端子収容部と、
前記端子収容部に組み付けられて前記端子金具を抜け止め状態に係止するリテーナとを備えたコネクタであって、
前記リテーナには、このリテーナを取り外すための取り外し用治具を挿入可能な治具挿入孔が設けられ、
前記治具挿入孔内には、前記取り外し用治具の挿脱経路上に突出されて前記取り外し用治具に設けられた引っ掛け部と係合することにより前記取り外し用治具の離脱を規制する張り出し部が設けられていることを特徴とするコネクタ。
【請求項２】
前記張り出し部において前記引っ掛け部と係合する係合面には、前記引っ掛け部から突設された引っ掛け突起を収容可能な収容凹部が設けられていることを特徴とする請求項１に記載のコネクタ。
【請求項３】
コネクタの端子収容部に組み付けられてこの端子収容部に収容される端子金具を抜け止め状態に係止するリテーナの取り外しを行うための取り外し用治具であって、
前記リテーナに設けられた治具挿入孔に挿入可能な腕部と、
この腕部から前記腕部の前記治具挿入孔に対する挿脱方向と交差方向に突設されて前記治具挿入孔内に設けられた張り出し部と係合可能な引っ掛け部とを備えることを特徴とする取り外し用治具。
【請求項４】
前記引っ掛け部において前記張り出し部と係合する引っ掛け面には、前記張り出し部に凹設された収容凹部に収容可能な引っ掛け突起が設けられていることを特徴とする請求項３に記載の取り外し用治具。
【請求項５】
前記引っ掛け部には前記腕部が一対備えられ、この一対の腕部の一方の先端同士が連結されているとともに、他方の先端側に前記引っ掛け部が突設されていることを特徴とする請求項３または請求項４に記載の取り外し用治具。
【発明の詳細な説明】
【０００１】
【発明の属する技術分野】
本発明は、リテーナを備えたコネクタ、およびリテーナ取り外し用治具に関する。
【０００２】
【従来の技術】
従来、コネクタハウジングのフード部内に前方からリテーナを装着するタイプのコネクタが知られている。このものは、キャビティを備えた端子収容部の回りからフード部が前方へ突出して形成されるハウジングと、端子収容部の前方から装着されるリテーナとを備えている。キャビティ内には、キャビティの内壁面に沿って前方へ片持ち状に延出するランスと、ランスの弾性撓みを許容する撓み空間とが形成されており、後方からキャビティに挿入された端子金具はランスに係止することにより抜止めされる。そして、端子収容部にリテーナを組み付けると、そのリテーナの撓み規制部が撓み空間内に進入して、ランスが端子金具から解離するように弾性撓みすることを規制し、これによって端子金具が二重係止されて確実に抜け止めされる。
【０００３】
このようなコネクタにおいて、メンテナンス等に際してリテーナを取り外す場合には、まず前方からフード部内へ棒状の治具を進入させ、その先端をリテーナの引っ掛け部に引っ掛ける。この状態で、治具をフード部の開口縁に当接させて斜め姿勢とし、治具においてフード部外に突出されている方の端部をリテーナの取外方向と反対方向へ傾動操作することで、てこ作用を利用してリテーナを取り外す。
【０００４】
【発明が解決しようとする課題】
ところが、この取り外し作業では、リテーナを端子収容部への係止力に抗して取り外さなければならないから、大きな力で治具を操作する必要がある。このため、端子収容部から外れたリテーナが勢い余ってフード部の外へ弾き飛ばされてしまう場合がある。特に、多くの機器等が入り組んで設置される車両内等へ取り付けられているコネクタの場合には、弾き飛ばされたリテーナを見失ってしまうおそれがあり、改善が求められていた。
【０００５】
本発明は、上記した事情に鑑みてなされたものであり、その目的は、リテーナが取り外しの際に弾き飛ばされてしまうことを防止できるコネクタ、およびリテーナ取り外し用治具を提供することにある。
【０００６】
【課題を解決するための手段】
上記の課題を解決するために請求項１の発明に係るコネクタは、ハウジングと、前記ハウジングの内部に設けられて端子金具を収容可能な端子収容部と、前記端子収容部に組み付けられて前記端子金具を抜け止め状態に係止するリテーナとを備えたコネクタであって、前記リテーナには、このリテーナを取り外すための取り外し用治具を挿入可能な治具挿入孔が設けられ、前記治具挿入孔内には、前記取り外し用治具の挿脱経路上に突出されて前記取り外し用治具に設けられた引っ掛け部と係合することにより前記取り外し用治具の離脱を規制する張り出し部が設けられていることを特徴とする。
【０００７】
請求項２の発明は、請求項１に記載のコネクタであって、前記張り出し部において前記引っ掛け部と係合する係合面には、前記引っ掛け部から突設された引っ掛け突起を収容可能な収容凹部が設けられていることを特徴とする。
【０００８】
請求項３の発明は、コネクタの端子収容部に組み付けられてこの端子収容部に収容される端子金具を抜け止め状態に係止するリテーナの取り外しを行うための取り外し用治具であって、前記リテーナに設けられた治具挿入孔に挿入可能な腕部と、この腕部から前記腕部の前記治具挿入孔に対する挿脱方向と交差方向に突設されて前記治具挿入孔内に設けられた張り出し部と係合可能な引っ掛け部とを備えることを特徴とする。
【０００９】
請求項４の発明は、請求項３に記載の取り外し用治具であって、前記引っ掛け部において前記張り出し部と係合する引っ掛け面には、前記張り出し部に凹設された収容凹部に収容可能な引っ掛け突起が設けられていることを特徴とする。
【００１０】
請求項５の発明は、請求項３または請求項４に記載の取り外し用治具であって、前記引っ掛け部には前記腕部が一対備えられ、この一対の腕部の一方の先端同士が連結されているとともに、他方の先端側に前記引っ掛け部が突設されていることを特徴とする。
【００１１】
【発明の作用及び効果】
請求項１および請求項３の発明によれば、リテーナの治具挿入孔内には、取り外し用治具の挿脱経路上に突出される張り出し部が設けられている。一方、取り外し用治具には、治具挿入孔に対する挿脱方向と交差方向に引っ掛け部が突設されている。そして、この取り外し用治具を治具挿入孔内に挿入すると、張り出し部に引っ掛け部が引っ掛けられることにより、取り外し用治具の治具挿入孔からの離脱が規制されるから、リテーナは端子収容部との係合を解かれた後も、取り外し用治具から容易には外れない。これにより、リテーナが取り外しの際に弾き飛ばされてしまうことを防止できる。
【００１２】
請求項２および請求項４の発明によれば、リテーナの張り出し部における係合面には収容凹部が設けられている。一方、取り外し用治具の引っ掛け部における引っ掛け面には、引っ掛け突起が設けられている。そして、この取り外し用治具を治具挿入孔内に挿入すると、収容凹部に取り外し用治具の引っ掛け突起が引っ掛けられるから、リテーナは、取り外し用治具からいっそう外れにくくなる。これにより、リテーナが取り外しの際に弾き飛ばされてしまうことを確実に防止できる。
【００１３】
請求項５の発明によれば、取り外し用治具には一対の腕部にそれぞれ引っ掛け部が設けられて、２か所でリテーナに引っ掛けられる構成となっているから、リテーナが取り外し用治具からいっそう外れにくくなる。これにより、リテーナが取り外しの際に弾き飛ばされてしまうことを確実に防止できる。
【００１４】
【発明の実施の形態】
＜第１実施形態＞
以下、本発明のコネクタを具体化した第１実施形態について、図１〜図１１を参照しつつ詳細に説明する。本実施形態のコネクタ１は、雄側のコネクタであって、ハウジング１０、リテーナ３０及び端子金具５０を備えて構成されている。なお、以下の説明において、コネクタ１が相手側コネクタと嵌合される面側（図２において右側）を前側として説明する。
【００１５】
コネクタ１のハウジング１０は、合成樹脂によって一体に形成されており、略直方体状に形成された端子収容部１１と、この端子収容部１１の周囲に設けられたフード部１２とを備えている（図１〜図３参照）。フード部１２は、端子収容部１１における前後方向の中央部分が外側へ向かって張り出されるとともにその張り出し端が前方へ突出された形状をなしており、端子収容部１１の前半部分の周囲を囲うように形成されている。端子収容部１１の外壁面とフード部１２の内壁面との間の空間は、後述するリテーナ３０を嵌入可能な組付空間１３とされている。
【００１６】
端子収容部１１内には、端子金具５０を受入可能な複数のキャビティ１４が、前後方向に貫通して設けられている（図２参照）。これらのキャビティ１４は、上下２段に整列して設けられている。端子収容部１１のうち、フード部１２内に突出される前半部分は、各キャビティ１４ごとに分割されたタワー部１５が並列された形態となっている。
【００１７】
各キャビティ１４は、それぞれ上面側が開放されており、組付空間１３の奥端面からは、この開放部分を覆うように前方へ片持ち状に延出された形態のランス１７が形成されている。このランス１７は、横断面形状が左右対称な凸字形をなしており、幅方向（左右方向）中央は上下の厚さ寸法の大きい肉厚部１７Ａとされ、その肉厚部１７Ａの左右両側は上下の厚さが肉厚部１７Ａよりも薄い肉薄部１７Ｂとされている。ランス１７の下面（端子金具５０と対応する面）においては肉厚部１７Ａと肉薄部１７Ｂの下面同士が面一状に連続するが、ランス１７の上面（後述する撓み空間１８に臨む面）においては、肉厚部１７Ａが肉薄部１７Ｂよりも上方へ突出した形態となっている。
【００１８】
上段のキャビティ１４のランス１７の上方には、そのランス１７の上方への弾性撓みを許容するための撓み空間１８が、前方に開口する形態で形成されている。一方、下段のキャビティ１４のランス１７については、そのランス１７の上方への弾性撓みを許容するための撓み空間１８が、上段のタワー部１５の下壁を部分的に切欠することによって形成されている。
【００１９】
タワー部１５のうち幅方向両端に位置する上下のタワー部１５Ａの側壁１６Ａには、前端よりもやや後側の位置に、それぞれ仮ロック溝１９が凹設されており、ここに後述するリテーナ３０の仮ロック爪３５が係合されるようになっている（図３参照）。また、幅方向中央に位置する上下のタワー部１５Ｂの側壁１６Ｂには、前端よりもやや後側の位置に、それぞれ本ロック溝２０が凹設されており、ここに後述するリテーナ３０の本ロック爪３６が係合されるようになっている。
【００２０】
キャビティ１４に収容される端子金具５０は、角筒状に形成された角筒部５１の先端側からタブ５２が突出して設けられるとともに、その後部には、連結部５３を介して電線Ｗの一端部を圧着するためのバレル部５４が形成されている（図２参照）。バレル部５４には、電線Ｗの端末とともに防水ゴム栓５５が圧着されており、この防水ゴム栓５５がキャビティ１４の内壁に密着することにより、キャビティ１４内の防水が図られるようになっている。角筒部５１の上面には、前後方向の中央位置にランス進入凹部５６が形成され、このランス進入凹部５６内にランス１７の先端が係合することで端子金具５０がキャビティ１４内に一次係止される。
【００２１】
端子収容部１１に組み付けられるリテーナ３０はフロントタイプのものであって、合成樹脂により形成されている（図４〜図６参照）。このリテーナ３０は、端子収容部１１の前面を覆う前面板３１と、この前面板３１の側縁に形成された周壁部３２とを備えている。
【００２２】
前面板３１は、各タワー部１５の先端部を受け入れ可能な開放口３３を備えた格子状に形成されている。各開放口３３の上壁部からは、ランス１７の撓み空間１８に進入してランス１７の撓みを規制可能な撓み規制部３４が後方へ向かって突出形成されている。この撓み規制部３４は、ランス１７の両肉薄部１７Ｂと対応するように、各ランス１７に対して左右一対ずつ設けられていて、ランス１７の肉厚部１７Ａと肉薄部１７Ｂとの厚さの差によって形成される段差空間内に進入されるようになっている。
【００２３】
周壁部３２における左右の内側面の後端部には、それぞれ上下一対づつの仮ロック爪３５が突設されている。また、開放口３３のうち幅方向両端に位置する上下の開放口３３Ａには、その内側面における後端位置に、それぞれ本ロック爪３６が突設されている。仮ロック爪３５、および本ロック爪３６は、それぞれリテーナ３０が仮係止位置、本係止位置に押し込まれたときに、タワー部１５Ａ、１５Ｂの仮ロック溝１９、本ロック溝２０と係合するようになっている。
【００２４】
周壁部３２は、前面板３１の下側縁および左右の両側縁から後方へ延設されており、ハウジング１０の組付空間１３にガタ付きなく収容可能とされている。この周壁部３２の下面側には、幅方向中央位置に、前後方向に渡って下側に膨出する幅広の膨出部３７が形成されている。この膨出部３７には、リテーナ３０を取り外すための取り外し用治具Ｊを挿入可能な治具挿入孔３８が、前面側に横長方形状に開口して設けられている（図１１参照）。この治具挿入孔３８の後端側は、奥面壁３８Ａにより幅方向の両端部を残して塞がれている。この治具挿入孔３８の開口部３９には、幅方向の両端部がそれぞれ内側へ張り出されることで、一対の張り出し部４０が設けられており、この張り出し部４０の後面は、取り外し用治具Ｊと係合される係合面４０Ａとされている。この係合面４０Ａは、幅方向中央へ向かって僅かに後下がりとなるように傾斜されている。また、治具挿入孔３８の下側壁、および張り出し部４０の内側壁は、それぞれ治具Ｊを案内するためのガイド壁４１Ａ、４１Ｂとされている。
【００２５】
次に、上記のように構成された本実施形態の作用および効果について説明する。
【００２６】
本実施形態のコネクタ１の組付けに際しては、まず、ハウジング１０に対してリテーナ３０を仮係止状態に組み付ける（図７、８参照）。リテーナ３０を端子収容部１１の前端側から軽く押し込むと、リテーナ３０の周壁部３２が組付空間１３内に軽く挿入されるとともに、各タワー部１５の先端部がリテーナ３０の開放口３３内に軽く挿入される。そして、仮ロック溝１９に仮ロック爪３５が係止されて、リテーナ３０が仮係止状態に至る。このとき、撓み規制部３４はランス１７の前端よりも前方に離れているため、ランス１７の撓み空間１８側への弾性撓みは許容されている。
【００２７】
この状態から各キャビティ１４に端子金具５０を組み付ける。端子金具５０をキャビティ１４の後側から挿入させていくと、角筒部５１の前端がランス１７の下面に当接し、それ以降は、端子金具５０の挿入が進むのに伴ってランス１７が上方へ弾性撓みさせられて撓み空間１８内に進出する。そして、端子金具５０が正規位置に至ると、ランス１７が下方へ復帰し、その前端が端子金具５０のランス進入凹部５６に進入することにより、端子金具５０の後方への抜け止めがなされる。
【００２８】
全ての端子金具５０を挿入したら、仮係止位置のリテーナ３０を本係止位置まで押し込む（図９、１０参照）。リテーナ３０が奥まで移動されると、各タワー部１５が、その前端面がリテーナ３０の前端面と面一となる位置まで開放口３３内に挿入される。また、本ロック溝２０に本ロック爪３６が係止されて、リテーナ３０が本係止状態に保持される。この状態では、撓み規制部３４が撓み空間１８内に進入してランス１７の肉薄部１７Ｂと対応し、ランス１７は、その肉薄部１７Ｂと撓み規制部３４との当接によって撓み空間１８側への弾性撓みを規制され、端子金具５０に係止した状態に保持される。これにより、端子金具５０は二重係止状態となって確実な抜止めがなされる。
【００２９】
さて、メンテナンス等のために端子金具５０をハウジング１０から取り外す際には、まず、端子金具５０を二重係止しているリテーナ３０をハウジング１０から取り外す必要がある。
【００３０】
リテーナ３０を取り外すための取り外し用治具Ｊ（以下、単に「治具Ｊ」と称する）は、棒状の腕部Ｊａの先端に引っ掛け部Ｊｂが設けられた略Ｌ字状に形成されており、引っ掛け部Ｊｂの内側面は、張り出し部４０の係合面４０Ａに係止される引っ掛け面Ｊｃとされている（図１１参照）。
【００３１】
リテーナ３０の取り外しの際には、この治具Ｊを、腕部Ｊａの側面を下側のガイド壁４１Ａに沿わせるようにして、引っ掛け部Ｊｂ側から治具挿入孔３８へ挿入する。そして、引っ掛け部Ｊｂを左右いずれかの張り出し部４０の後方へ潜り込ませ、腕部Ｊａにおいて引っ掛け部Ｊｂが形成されている側の面を側方のガイド壁４１Ｂに沿わせるようにして、引っ掛け面Ｊｃを張り出し部４０の係合面４０Ａに引っ掛ける。このように、ガイド壁４１Ａ、４１Ｂに沿って治具Ｊを操作することによって、治具Ｊがフード部１２内でがたついてフード部１２の内壁面に損傷を生じることが回避される。
【００３２】
この状態で、治具Ｊの腕部Ｊａを前方に向かって引っ張ると、引っ掛け面Ｊｃが係合面４０Ａを押す力によってリテーナ３０が前方へ引っ張られる。これにより、本ロック溝２０と本ロック爪３６との係合が外れ、リテーナ３０が仮係止位置へ移動する。そして、さらに治具Ｊの腕部Ｊａを前方に向かって引っ張ると、仮ロック溝１９と仮ロック爪３５との係合が外れ、リテーナ３０が端子収容部１１から離脱される。
【００３３】
このように、両ロック溝１９、２０とロック爪３５、３６による端子収容部１１への係止力に抗してリテーナ３０を取り外さなければならないから、大きな力で治具Ｊを引っ張り操作する必要がある。このため、係合を解かれたリテーナ３０が勢いよく弾き飛ばされてしまうおそれがある。しかし、リテーナ３０の治具挿入孔３８には張り出し部４０が設けられて、ここに治具Ｊの引っ掛け部Ｊｂが引っ掛けられているため、リテーナ３０は端子収容部１１との係合を解かれた後も、治具Ｊから容易には外れない。これにより、リテーナ３０が取り外しの際に弾き飛ばされてしまうことを防止できる。
なお、リテーナ３０が治具Ｊに対して前方（図１１の右方）に相対移動しても、直後に治具挿入孔３８の奥面壁３８Ａが治具Ｊの引っ掛け部Ｊｂが当たるから、治具Ｊの引っ掛け面Ｊｃと張り出し部４０の係合面４０Ａとが大きく外れることはない。このため、両者の引っ掛かりが保持され、リテーナ３０が取り外しの際に弾き飛ばされてしまうことを確実に防止できる。
また、治具Ｊはリテーナ３０の取り外し方向に沿って引っ張り操作されるから、従来の方法のようにリテーナ３０に対するこじりが発生せず、治具Ｊの先端でリテーナ３０を損傷させたり、フード部１２の外周のシール面を傷つけるおそれもない。さらに、フード部１２に対してリテーナ３０の装着位置が深い場合においても容易にリテーナ３０の取り外し操作をすることができる。
【００３４】
＜第２実施形態＞
以下、本発明の第２実施形態について、図１２を参照しつつ説明する。本実施形態のコネクタ６０の第１実施形態との相違点は、リテーナ６１における張り出し部６３の形状にある。なお、以下の説明において、第１実施形態と同様の構成には同一の符号を付して説明を省略する。
【００３５】
本実施形態のリテーナ６１においては、一対の係合面６３Ａにそれぞれ収容凹部６４が形成されている。収容凹部６４は、係合面６３Ａにおいてそれぞれ外側の端部に、前方に向かって凹設されている。
【００３６】
一方、このリテーナ６１を取り外すための取り外し用治具Ｋ（以下、単に「治具Ｋ」と称する）は、棒状の腕部Ｋａの先端に引っ掛け部Ｋｂが設けられるとともに、この引っ掛け部Ｋｂの先端部が腕部Ｋａと同一方向へ向かって突出された引っ掛け突起Ｋｄとされており、全体として略Ｊ字状に形成されている。
【００３７】
リテーナ６１の取り外しの際には、取り外し用治具Ｋを、第１実施形態と同様にして引っ掛け部Ｊｂ側から治具挿入孔６２へ挿入する。そして、引っ掛け部Ｋｂを左右いずれかの張り出し部６３の後方へ潜り込ませ、引っ掛け突起Ｋｄが収容凹部６４に収容されるようにしつつ、引っ掛け面Ｋｃを、張り出し部６３の係合面６３Ａに当接させる。この状態で、治具Ｋの腕部Ｋａを指で摘んで前方に向かって引っ張ると、引っ掛け面Ｋｃが係合面６３Ａを押す力によってリテーナ６１が前方へ引っ張られる。これにより、第１実施形態と同様にリテーナ３０が端子収容部１１から離脱される。
【００３８】
このとき、張り出し部６３の係合面６３Ａには収容凹部６４が設けられて、ここに治具Ｋの引っ掛け突起Ｋｄが引っ掛けられているため、リテーナ６１は、治具Ｋからいっそう外れにくくなっている。これにより、リテーナ６１が取り外しの際に弾き飛ばされてしまうことを確実に防止できる。
【００３９】
＜第３実施形態＞
以下、本発明の第３実施形態について、図１３を参照しつつ説明する。本実施形態の第１実施形態との相違点は、取り外し用治具Ｌの形状にある。なお、以下の説明において、第１実施形態と同様の構成には同一の符号を付して説明を省略する。
【００４０】
本実施形態の取り外し用治具Ｌは、一対の細長い板状の腕部Ｌａの一方の先端同士が連結されるとともに、他方の先端側が外側へやや開かれたピンセット状に形成されている。治具Ｌにおいて各腕部Ｌａの自由端側には、それぞれ外側に向かって、第１実施形態の取り外し用治具Ｊと同様の形状の引っ掛け部Ｌｂが突設されている。
【００４１】
リテーナ３０の取り外しの際には、この治具Ｌを両側面から押さえて腕部Ｌａを閉じるように弾性変形させつつ、引っ掛け部Ｌｂ側から治具挿入孔３８へ挿入する。そして、治具Ｌへの押圧力を緩めて腕部Ｌａの自由端を開いた状態に戻し、引っ掛け部Ｌｂを左右の張り出し部４０の後方へそれぞれ潜り込ませて、引っ掛け面Ｊｃを張り出し部４０の係合面４０Ａにそれぞれ引っ掛ける。
【００４２】
この状態で、腕部Ｌａの連結端側を指で摘んで前方に向かって引っ張ると、引っ掛け面Ｊｃが係合面４０Ａを押す力によってリテーナ３０が前方へ引っ張られる。これにより、第１実施形態と同様にリテーナ３０が端子収容部１１から離脱される。
【００４３】
このとき、治具Ｌには一対の腕部Ｌａにそれぞれ引っ掛け部Ｌｂが設けられて、２か所でリテーナ３０に引っ掛けられる構成となっており、リテーナ３０が治具Ｌからいっそう外れにくくなっている。さらに、腕部Ｌａの先端は、治具挿入孔３８の内部で治具Ｌ自身の弾性復元力により開いた状態を保持するから、引っ掛け部Ｌｂが治具挿入孔３８の張り出し部４０からいっそう外れにくくなっている。これにより、リテーナ３０が取り外しの際に弾き飛ばされてしまうことを確実に防止できる。
【００４４】
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
（１）上記実施形態では、張り出し部４０は治具挿入孔３８における開口部３９の左右両端に一対設けられていたが、どちらか一方のみに設けられていても構わない。あるいは、上端および下端のうち一方または両方に設けられていても構わない。
（２）上記実施形態では、コネクタは雄型の端子金具を備えた雄側のコネクタであったが、雌型の端子金具を備えた雌側のコネクタであっても構わない。
【図面の簡単な説明】
【図１】第１実施形態のコネクタの正面図
【図２】図１のＡ−Ａ断面図
【図３】図１のＢ−Ｂ断面図
【図４】リテーナの斜視図
【図５】リテーナの正面図
【図６】リテーナの背面図
【図７】リテーナが仮係止位置にあるときの断面図
【図８】リテーナが仮係止位置にあるときの側断面図
【図９】リテーナが本係止位置にあるときの断面図
【図１０】リテーナが本係止位置にあるときの側断面図
【図１１】リテーナを取り外し用治具により取り外す様子を示す断面図
【図１２】第２実施形態のリテーナを取り外し用治具により取り外す様子を示す断面図
【図１３】第３実施形態のリテーナを取り外し用治具により取り外す様子を示す断面図
【符号の説明】
１…コネクタ
１０…ハウジング
１１…端子収容部
３０、６１…リテーナ
３８、６２…治具挿入孔
４０、６３…張り出し部
４０Ａ、６３Ａ…係合面
５０…端子金具
６４…収容凹部
Ｊ、Ｋ、Ｌ…取り外し用治具
Ｊａ、Ｋａ、Ｌａ…腕部
Ｊｂ、Ｋｂ、Ｌｂ…引っ掛け部
Ｊｃ、Ｋｃ、Ｌｃ…引っ掛け面
Ｋｄ…引っ掛け突起
【図１】
2004014271.tif 000003
【図２】
2004014271.tif 000004
【図３】
2004014271.tif 000005
【図４】
2004014271.tif 000006
【図５】
2004014271.tif 000007
【図６】
2004014271.tif 000008
【図７】
2004014271.tif 000009
【図８】
2004014271.tif 000010
【図９】
2004014271.tif 000011
【図１０】
2004014271.tif 000012
【図１１】
2004014271.tif 000013
【図１２】
2004014271.tif 000014
【図１３】
2004014271.tif 000015